(57)【特許請求の範囲】
【請求項１】
利用者インタフェースと、制御手段と、モード切替手段と、記憶手段と、送信手段を備え、楽曲索引データベースを検索するカラオケ選曲予約装置であって、
楽曲索引データベースは、楽曲ごとに楽曲識別子・曲名・アーチスト名を関連付けし、
利用者インタフェースは、タッチパネルディスプレイからなり、制御手段の制御により情報を表示するとともに利用者入力を受付可能とし、
制御手段は、客モードおよび店モードを実行可能とし、モード切替手段による特定入力に従って客モードから店モードに移行し、
客モードでは、利用者入力に従って楽曲索引データベースを検索して一の楽曲が特定された際、特定された楽曲に関連付けられた楽曲識別子を予約候補曲として記憶手段に格納し、利用者入力に従って記憶手段に格納されている予約候補曲の楽曲識別子に関連付けられた曲名とアーチスト名を一覧表示させ、かつ、演奏予約用操作子は表示させず、
店モードでは、利用者入力に従って記憶手段に格納されている予約候補曲の楽曲識別子に関連付けられた曲名とアーチスト名を一覧表示させるとともに演奏予約用操作子を表示させ、表示中から一の楽曲が特定されて演奏予約用操作子の利用者入力があった際、当該特定された楽曲の楽曲識別子を含んだ演奏予約信号を送信手段により送信させる
カラオケ選曲予約装置。
【請求項２】
制御手段は、店モードにおいて演奏予約信号を送信した後、客モードに移行する
請求項１に記載のカラオケ選曲予約装置。
【請求項３】
客モードでは、予約候補曲の楽曲識別子に関連付けられた曲名とアーチスト名を一覧表示させる際、削除用操作子を加えて表示させ、表示中から一の楽曲が特定されて削除用操作子の利用者入力があった際、当該特定された楽曲の楽曲識別子を記憶手段から削除する
請求項１または２に記載のカラオケ選曲予約装置。
【発明の詳細な説明】
【０００１】
【発明の属する技術分野】
本発明は、電子目次本機能付きカラオケリモコン装置に関し、とくに、カラオケ利用者が電子目次本機能を使ってカラオケ楽曲の検索を行えるようにしたリモコン装置に適用して有効な技術に関する。
【０００２】
【従来の技術】
近年のカラオケ目次本（印刷目次本）は膨大な数の楽曲を掲載するために非常に分厚く重量化している。カラオケボックスの場合、来店者はもっぱらカラオケを歌うことを目的に来ているので、自分が歌いたい曲を分厚い印刷目次本で探すことはあまり厭わない。これに対し、接客の補助手段としてカラオケ装置を設置しているバーやクラブのような飲食店いわゆるナイト店の場合、来店者は必ずしも積極的にカラオケを歌いたいとは限らないので、歌いたい曲あるいは歌える曲を印刷目次本で探そうとしても、膨大な数の楽曲が載っている分厚い印刷目次本では、曲探しが面倒で気が削がれてしまうといった状況になりやすい。そこで、従来の場合は、お店のママさんがお客さんに代って、そのお客さんが歌いそうな曲を探して予約し、歌うことを促すような接客がよく行われていた。
【０００３】
一方、最近のカラオケシステムでは、従来の印刷物の目次本に代って、電子目次本機能付きカラオケリモコン装置が導入されるようになってきた。このリモコン装置は、カラオケ装置で演奏可能なカラオケ楽曲の楽曲索引データベース（目次本データベース）を蓄積管理する機能と、タッチパネル式のユーザＩ／Ｆ（インターフェイス）による検索機能と、この検索機能の支援下で利用者が特定した楽曲のリクエスト信号をワイヤレス発信する機能を備えている。
【０００４】
この電子目次本機能付きカラオケリモコン装置は、従来の分厚くて重たい印刷目次本よりも軽くできるとともに、楽曲の検索もゲーム感覚で簡便かつ快適に行わせることができる。カラオケ装置が接客の補助手段として設置されているナイト店において、必ずしもカラオケに積極的でない客も、上記電子目次本機能付きのカラオケリモコン装置ならば、曲探しで煩うことなく自力で選曲してカラオケを楽しむことができる。
【０００５】
また、従来の印刷目次本では、カラオケ楽曲のリクエスト予約に際して、客または店のママさんが目次本で探し当てた楽曲の番号をリモコンに手動で入力する操作手間が必要であった。この手動入力による予約操作は面倒であり、目次本の見間違い、言い違い、あるいは誤入力等の人為ミス要因も介在する。これに対し、上述した電子目次本機能付きのリモコン装置ならば、電子目次本機能の検索結果をそのままリモコンに引き渡して予約送信させるデータリンクが可能なので、曲探しから予約までの面倒を大幅に軽減できる。上記人為ミス要因も排除できる。
【０００６】
したがって、上記電子目次本機能付きカラオケリモコン装置を客に利用開放すれば、客と店の双方に負担をかけることなく、カラオケ利用のセルフサービス度を高めることができる。ナイト店においては、接客補助手段としてのカラオケの利便性を向上させるともに、店側の労務負担とくに客の曲探しを代行する手間を軽減させることができる。
【０００７】
【発明が解決しようとする課題】
上述した電子目次本機能付きカラオケリモコン装置の導入は、ナイト店において客側の曲探し負担またはその曲探しを代行する店側の負担を軽減させることができる反面、カラオケ利用の管理および秩序の維持、客とのコミュニケーション確保、選曲ミスの対応やマイク準備の気遣いなどが適切に行えなくなるという不都合を生じることが判明した。
【０００８】
すなわち、従来の印刷目次本を使用するシステムでは、カラオケの予約に店員が介在することで、客とのコミュニケーションがとれ、カラオケ利用に関する調停役になって客同士のトラブルも防止できる。また、客のカラオケ予約状況を逐次把握して、選曲ミスの対応やマイク準備の気遣いなどを適切に行うことができた。
【０００９】
これに対し、上記電子目次本機能付きカラオケリモコン装置では、客が勝手に予約できるので、店員は、誤った予約があっても適切な対応（フォロー）ができない、次の予約曲は誰が歌うのかがわからずマイクの準備が間に合わないなど、様々な不都合が生じる。
【００１０】
本発明は以上のような問題を鑑みたものであって、ナイト店において、接客補助手段としてのカラオケの利便性を向上させ、かつ店側の労務負担とくに客の曲探しを代行する手間を軽減させつつ、カラオケ利用の管理および秩序の維持、客とのコミュニケーション確保や客に対する気遣いなどを適切に行うことを可能にした電子目次本機能付きカラオケリモコン装置を提供することを目的とする。
【００１１】
【課題を解決するための手段】
この発明に係るカラオケ選曲予約装置は、分説すると、つぎの事項（１）〜（６）により特定されるものである。
（１）利用者インタフェースと、制御手段と、モード切替手段と、記憶手段と、送信手段を備え、楽曲索引データベースを検索するカラオケ選曲予約装置であること
（２）楽曲索引データベースは、楽曲ごとに楽曲識別子・曲名・アーチスト名を関連付けすること
（３）利用者インタフェースは、タッチパネルディスプレイからなり、制御手段の制御により情報を表示するとともに利用者入力を受付可能とすること
（４）制御手段は、客モードおよび店モードを実行可能とし、モード切替手段による特定入力に従って客モードから店モードに移行すること
（５）客モードでは、利用者入力に従って楽曲索引データベースを検索して一の楽曲が特定された際、特定された楽曲に関連付けられた楽曲識別子を予約候補曲として記憶手段に格納し、利用者入力に従って記憶手段に格納されている予約候補曲の楽曲識別子に関連付けられた曲名とアーチスト名を一覧表示させ、かつ、演奏予約用操作子は表示させないこと
（６）店モードでは、利用者入力に従って記憶手段に格納されている予約候補曲の楽曲識別子に関連付けられた曲名とアーチスト名を一覧表示させるとともに演奏予約用操作子を表示させ、表示中から一の楽曲が特定されて演奏予約用操作子の利用者入力があった際、当該特定された楽曲の楽曲識別子を含んだ演奏予約信号を送信手段により送信させること
【００１２】
上記の構成において、制御手段は、店モードにおいて演奏予約信号を送信した後、客モードに移行する方式を採ることができる。
【００１３】
また上記の構成において、客モードでは、予約候補曲の楽曲識別子に関連付けられた曲名とアーチスト名を一覧表示させる際、削除用操作子を加えて表示させ、表示中から一の楽曲が特定されて削除用操作子の利用者入力があった際、当該特定された楽曲の楽曲識別子を記憶手段から削除する方式を採ることができる。
【００１４】
特定操作者認証手段としては、たとえば次のような構成手段（１）〜（５）が可能である。
（１）入力手段が特定操作されたときにリクエスト予約の操作を許可する。
（２）特定操作者の認証判定手段としてキースイッチを有し、このキースイッチが鍵で操作されたときにリクエスト予約の操作を許可する。
（３）特定操作者の認証判定手段として磁気カードリーダを有し、この磁気カードリーダが特定の識別情報を読み込んだときに前記リクエスト予約の操作を許可する。
（４）特定操作者の認証判定手段として非接触式のＩＣカードリーダを有し、このＩＣカードリーダが特定の識別情報を読み込んだときにリクエスト予約の操作を許可する。
（５）特定操作者の認証判定手段としてブルートゥース規格の無線受信ユニットを有し、この無線受信ユニットが特定の識別情報を無線受信したときに前記リクエスト予約の操作を許可する。この場合、無線受信ユニットはリモコン送信手段を構成する無線ユニットを用いて構成することができる。
【００１５】
【発明の実施の形態】
図１は、本発明による電子目次本機能付きカラオケリモコン装置の第１実施例を示す。同図において、（Ａ）は本発明によるリモコン装置１０の構成を機能ブロック図で示す。また、（Ｂ）は本発明によるリモコン装置１０の構成をその要部の動作フローチャートで示す。
【００１６】
（Ａ）のブロック図において、リモコン装置１０は、利用者入力手段１１、電子目次本機能部１２、特定操作者認証手段１３、リモコン送信部１４などにより構成される。
【００１７】
利用者入力手段１１は、タッチ式操作パネルなどによりＧＵＩ(Graphical User Interface)による操作環境を形成する。電子目次本機能部１２と上記入力手段１１は、カラオケ演奏楽曲の検索およびリクエスト曲選択の操作をＧＵＩ環境下で行わせる。リモコン送信部１４はブルートゥース(Bluetooth)規格の近距離無線ユニットを用いて構成され、電子目次本機能部１２にて検索されてリクエスト対象に指定されたカラオケ楽曲（以下、リクエスト曲）の識別情報を含むデータすなわちリクエストデータをカラオケ装置５０へ送信する。
【００１８】
特定操作者認証手段１３は、電子目次本機能部１２とリモコン送信部１４の間に機能的に介在し、上記入力手段１１にて所定の秘密操作（特定操作）が行われたときに、電子目次本機能部１２にて指定されたリクエスト曲をリモコン送信部１４へ引き渡してカラオケ装置５０へ無線送信させる操作を許可する。秘密操作は、カラオケ利用を管理する店の店員だけが行えるようにあらかじめ設定した非開示操作であって、たとえば、複数の入力キーの特別な組み合わせ操作、特定の識別コード（ＩＤコード）の入力などによって行われる。
【００１９】
この特定操作者認証手段１３は、電子目次本機能部１２による楽曲検索およびリクエスト曲選択までの操作は利用客が自由に行えるように開放するが、リクエスト曲をカラオケ装置５０へ無線送信するリクエスト予約の操作だけは開放せず、上記秘密操作によって識別される特定操作者だけに許可する。
【００２０】
（Ｂ）のフローチャートにおいて、特定操作者である店員が介在しない場合、つまり特定操作者が認証されない場合は、利用客に開放されている操作に基づく処理だけを行う（ｓ１１，ｓ１２）。この場合、リモコン装置１０の利用客は、電子目次本機能部１２による楽曲検索およびリクエスト曲選択を行うことができる。特定操作者が認証されると、上記処理（ｓ１１，ｓ１２）に加えて、電子目次本機能部１２で検索および特定したリクエスト曲をカラオケ装置５０へリモコン送信するリクエスト予約の操作が可能になる（ｓ１３，ｓ１４）。
【００２１】
上述した電子目次本機能付きカラオケリモコン装置１０では、電子目次本機能部１２による曲の検索および選択を客が自由に行うことができる。したがって、ナイト店において、そのリモコン装置１０をカラオケ利用客に渡して自由に操作させれば、客の曲探しを代行する負担を軽減できる。
【００２２】
一方、電子目次本機能部１２で検索および選択した曲をカラオケ装置５０にリクエスト予約する操作は客に開放されておらず、特定操作者である店員が行うことになる。店員は、客からリモコン装置１０を受取り、所定の秘密操作（特定操作）を行ってリクエスト予約の操作を行う。この予約操作は、客が電子目次本機能部１２を使って特定したリクエスト曲をリモコン装置１０内のデータリンクによって機械的にリモコン送信させればよいので、簡単に行うことができる。従来の印刷目次本で有りがちだった見間違い、言い違い、あるいは誤入力等の人為ミス要因は排除される。したがって、その予約操作によって店側の負担が増すことはほとんどない。
【００２３】
むしろ、その予約操作を店側が代行することにより、客とのコミュニケーション機会が得られ、カラオケ利用に関する調停役になって客同士のトラブルも防止でき、マイク準備などの気遣いも適切に行うことができる。また、客が間違った選曲操作を行っても、その場で適切に対応することができる。
【００２４】
このように、上述したカラオケリモコン装置１０によれば、ナイト店において、接客補助手段としてのカラオケの利便性を向上させ、かつ店側の労務負担とくに客の曲探しを代行する手間を軽減させつつ、カラオケ利用の管理および秩序の維持、客とのコミュニケーション確保や客に対する気遣いなどを適切に行うことができる。
【００２５】
図２は、上述したカラオケリモコン装置１０のハードウェア構成例を示す。リモコン装置１０の内部は、同図の（Ａ）に示すように、タッチ式操作パネル２３を構成するディスプレイ２１とタッチパネル２２、フラッシュメモリ等の不揮発性メモリを用いた電子目次本データベース２４、ブルートゥース規格の近距離無線ユニット２５、ＲＳ２３２Ｃなどの通信Ｉ／Ｆ２６、マイクロコンピュータ（ＣＰＵ）による主制御部２７、および二次電池を用いた充電式内蔵電源２８などにより構成される。
【００２６】
同図において、ディスプレイ２１は、ＴＦＴ型ＬＣＤなどの表示デバイスと、この表示デバイスに画像表示を行わせるコントローラおよびドライバなどを含む。タッチパネル２２は一種のポインティングデバイスであって、指先あるいはペン等の接触による指示位置を検出して主制御部２７に引き渡す。このタッチパネル２２は透明なシート状またはフィルム状であって、その操作面はディスプレイ２１の表示画面上に重ねて配設される。
【００２７】
リモコン装置１０の外観は、同図の（Ｂ）に示すように、ハンディタイプのデータ端末装置としての体裁をなすように構成されている。本体は概して厚めのパネル状で、そのパネル上面には上記タッチ式操作パネル２３が配置されている。本体上部には無線ユニット２５の送信アンテナ２５１が配設されている。本体下部には外部接続ポート部２９が配設されている。このポート部２９には、通信Ｉ／Ｆ２６の接続コネクタ２６１や内蔵電源２８の充電用電源端子２８１などが収容されている。
【００２８】
ここで、前記電子目次本機能部１２は、主制御部２７およびこの主制御部２７の制御下で動作する電子目次本データベース２４などによって構築される。前記利用者入力手段１１と前記特定操作者認証手段１３の機能はそれぞれ、主制御部２７およびこの主制御部２７の制御下で動作するタッチ式操作パネル２３を用いて構築される。前記リモコン送信部１４の機能は無線ユニット２５により構成される。
【００２９】
図３は、前記第１実施例において、リモコン装置１０の操作パネル２３に表示される初期操作画面１００の一例を示す。この初期操作画面１００は客側に開放された操作を支援するＧＵＩ画面であって、「新譜」「歌手名」「曲名」「あの頃」「デュエット」「ジャンル」などの分類項目を指定して検索を指示する検索ボタン１０１や、「演奏中止」「スタート」「キーコン（キーコントロール）」などのカラオケ演奏条件を設定するための演奏設定ボタン列１０２などを表示する。この画面では、カラオケ装置に対してリクエスト予約のリモコン送信を指令する操作ボタンを表示しない。その代わり、リモコン装置１０内にてリクエスト予約の対象として一時記憶してある楽曲（リクエスト候補）の一覧を呼び出す「予約候補」の操作ボタン１０３を表示する。なお、ボタンの表示名はとくに限定されるものではない。
【００３０】
図４は、上記「予約候補」のボタン１０３を操作したときに表示される客用メニュー画面２５０を示す。このメニュー画面２５０には複数件（図では８件まで）のリクエスト曲ボタン２５１，２５１，・・・が一覧形式で表示される。これとともに、編集ボタン列２５２などが表示される。
【００３１】
各リクエスト曲ボタン２５１にはそれぞれ、リモコン装置１０内に予約操作待ちの形で一時記憶されているリクエスト候補の内容が１件分ずつ表示される。これにより、客と店員（特定操作者）の双方がリクエスト候補の内容を確認できるようになっている。確認の結果、選曲等の誤りがあったならば、編集ボタン列２５２を適宜操作して修正する。
【００３２】
このメニュー画面２５０には、本来ならばリクエスト予約のリモコン送信を指令するための操作ボタン「転送」が表示されるところであるが、ここではそれを表示しない。しかし、特定操作者である店員がこのメニュー画面２５０にて特定の秘密操作（非開示操作）を行うと、図５に示すように、そのリモコン送信を指令するための操作ボタン「転送」２５３を表示する。このボタン２５３を店員が操作することにより、リモコン装置１０内に一時記憶されているリクエスト候補をカラオケ装置５０へリクエスト予約としてリモコン送信することができる。
【００３３】
図５は、特定操作者の秘密操作によって表示される店員用メニュー画面２５０'を示すが、このメニュー画面２５０'は、リクエスト予約の操作完了あるいは適当な操作により、元の客用メニュー画面２５０に復帰する。
【００３４】
図６〜図９は、本発明による電子目次本機能付きカラオケリモコン装置１０の第２〜５実施例をそれぞれ機能ブロック図で示す。
図６に示す第２実施例では、特定操作者の認証判定手段としてキースイッチ３１を使用する。キースイッチ３１はシリンダ錠などのメカニカルキーに電気接点を組合わせたものであって、その鍵３２による接点操作の有無によって特定操作者か否かの認証判定を行う。この実施例は、鍵３２を使うことで秘密操作手順を簡略化できる利点がある。
【００３５】
図７に示す第３実施例では、特定操作者の認証判定手段として磁気カードの記録データを読み取るカードリーダ３３を使用し、特定の識別情報が記録された磁気カード３４によって特定操作者の認証を行う。この実施例は、上記第２実施例に対して、鍵の紛失や偽造に対するセキュリティレベルを高くできるという利点がある。
【００３６】
図８に示す第４実施例では、特定操作者の認証判定手段として非接触式のＩＣカードリーダ３５を使用し、特定の識別情報が記録されたＩＣカード３６によって特定操作者の認証を行う。ＩＣカード３５はマイクロチップ化されたデータ端末（ＣＰＵ）と超小形無線送受信器を内蔵し、カードリーダ３５から発信される無線電波を動作電源にしてそのカードリーダ３６と微距離の無線データ通信を行う。この通信のやり取りにより特定操作者か否かの認証判定を行う。この実施例は、上記第３実施例に対して、カードリーダ３５とＩＣカード３６間でやり取りされる認証判定の手順（データ）を複雑にできるので、セキュリティレベルをさらに高めることができる。また、ＩＣカード３６はカードリーダ３５に近接させるだけでよいので、操作も非常に簡便にできる。
【００３７】
図９に示す第５実施例では、特定操作者の認証判定手段としてブルトゥース規格の無線受信ユニット３７を使用し、特定の識別情報を無線受信したときに特定操作者を認証する。この場合、認証を受ける特定操作者は上記識別情報を送信するための無線発信ユニット３８を所持する。この実施例は、上記第４実施例と同様、認証判定の手順を複雑にしてセキュリティレベルを高めることができる。これに加えて、この実施例では、ある程度離れたところからも特定操作者の認証判定を行うことができる。したがって、特定操作者は、たとえば無線発信ユニット３８をポケットなどにしまい込んだままでも認証を受けることができる。リモコン装置１０側の無線受信ユニット３７は、リモコン送信部１４の無線ユニットを兼用させることもできるので、リモコン装置１０の構成を簡単にできる。
【００３８】
以上、本発明をその代表的な実施例に基づいて説明したが、本発明は上述した以外にも種々の態様が可能である。たとえば、リモコン送信は赤外線信号で行わせるようにしてもよい。また、認証判定手段は上記以外の方式、たとえば声紋識別などで認証判定を行わせるようにしてもよい。
【００３９】
【発明の効果】
本発明によれば、ナイト店において、接客補助手段としてのカラオケの利便性を向上させ、かつ店側の労務負担とくに客の曲探しを代行する手間を軽減させつつ、カラオケ利用の管理および秩序の維持、客とのコミュニケーション確保や客に対する気遣いなどを適切に行わせることができる。
【図面の簡単な説明】
【図１】本発明による電子目次本付きカラオケリモコン装置の第１実施例を示す機能ブロック図およびフローチャートである。
【図２】図１に示したカラオケリモコン装置のハードウェア構成例を示すブロック図および外観図である。
【図３】上記リモコン装置にて表示される初期操作画面の一例を示す図である。
【図４】上記リモコン装置にて表示される客用メニュー画面の例を示す図である。
【図５】上記リモコン装置にて表示される店用メニュー画面の例を示す図である。
【図６】本発明による電子目次本機能付きカラオケリモコン装置の第２実施例を示す機能ブロック図である。
【図７】本発明による電子目次本機能付きカラオケリモコン装置の第３実施例を示す機能ブロック図である。
【図８】本発明による電子目次本機能付きカラオケリモコン装置の第４実施例を示す機能ブロック図である。
【図９】本発明による電子目次本機能付きカラオケリモコン装置の第５実施例を示す機能ブロック図である。
【符号の説明】
１０  電子目次本機能付きカラオケリモコン装置
１１  利用者入力手段
１２  電子目次本機能部
１３  特定操作者認証手段
１４  リモコン送信部
２１  ディスプレイ
２２  タッチパネル
２３  タッチ式操作パネル
２４  電子目次本データベース
２５  ブルートゥース規格の無線ユニット
２５１  送信アンテナ
２６  ＲＳ２３２Ｃなどの通信Ｉ／Ｆ
２６１  接続コネクタ
２７  主制御部
２８  充電式内蔵電源
２８１  充電用電源端子
２９  外部接続ポート部
３１  キースイッチ
３２  鍵
３３  磁気カードリーダ
３４  磁気カード
３５  ＩＣカードリーダ
３６  ＩＣカード
３７  無線受信ユニット
３８  無線発信ユニット
５０  カラオケ装置
１００  初期操作画面
１０１  検索ボタン
１０２  演奏設定ボタン列
１０３  予約候補ボタン
２５０  客用メニュー画面
２５０'  店員用メニュー画面
２５１  リクエスト曲ボタン
２５２  編集ボタン列
２５３  リクエスト予約用の転送ボタン
【図１】
0003830410.tif 000002
【図２】
0003830410.tif 000003
【図３】
0003830410.tif 000004
【図４】
0003830410.tif 000005
【図５】
0003830410.tif 000006
【図６】
0003830410.tif 000007
【図７】
0003830410.tif 000008
【図８】
0003830410.tif 000009
【図９】
0003830410.tif 000010